(57)【要約】【課題】エアフィルターのメンテナンス、集塵された塵埃の廃棄がきわめて容易な空気調和機用フィルター装置を提供する。【解決手段】空気調和機に内蔵された熱交換器を通過する空気に含まれる塵埃を捕集するエアフィルター２と、前記エアフィルター２に付着した塵埃を吸引する吸引ノズル３と、前記吸引ノズル３に連通する吸引装置６と、前記塵埃を集塵する集塵部３９を有する集塵装置１３と、前記塵埃を集塵する時は、前記集塵装置１３が前記吸引装置６の上流側に位置するように、また、前記集塵部１３に集塵された前記塵埃を室外へ排出する時は、前記集塵部が前記吸引装置６の下流側に位置するように流路を切り替える開閉蓋２２ａ、２２ｂとを備えたもので、エアフィルター２のメンテナンス、集塵された塵埃の廃棄がきわめて容易な空気調和機用フィルター装置を提供できる。【選択図】図３
2008241172.tif 000002
【特許請求の範囲】
【請求項１】
空気調和機に内蔵された熱交換器を通過する空気に含まれる塵埃を捕集するエアフィルターと、前記エアフィルターに付着した塵埃を吸引する吸引ノズルと、前記吸引ノズルに連通する吸引装置と、前記塵埃を集塵する集塵部を有する集塵装置と、前記塵埃を集塵する時は、前記集塵装置が前記吸引装置の上流側に位置するように、また、前記集塵部に集塵された前記塵埃を室外へ排出する時は、前記集塵部が前記吸引装置の下流側に位置するように流路を切り替える切り替え手段とを備えたことを特徴とする空気調和機用フィルター装置。
【請求項２】
切り替え手段は、集塵部に集塵された塵埃を室外に排出する時に、吸引ノズルから吸引する流路を遮断し、大気から吸引する流路に切り替えることを特徴とする請求項１に記載の空気調和機用フィルター装置。
【請求項３】
熱交換器と、請求項１又は２に記載の空気調和機用フィルター装置とを備え、前記空気調和機用フィルター装置のエアフィルターを前記熱交換器の上流側に配した空気調和機。
【発明の詳細な説明】
【技術分野】
【０００１】
本発明は、空気調和機用フィルター装置及び空気調和機に関するものである。
【背景技術】
【０００２】
従来の空気調和機用フィルター装置は、空気調和機に内蔵された熱交換器の前面に、空気調和機の本体内部へ埃が侵入するのを防ぐために設けられたエアフィルターを備え、このエアフィルターは、付着した集塵が手で清掃できるように、空気調和機本体に着脱自在に取り付けられている。このように構成された空気調和機用エアフィルター装置は頻繁なメンテナンスが必要となるだけでなく、メンテナンスが行われるまでの間には、エアフィルターが徐々に目詰まりしていき、その結果、熱交換器を通過する風量が低下し、空気調和機の空調能力が低下して、消費電力の増大につながることとなる。
【０００３】
そこで、エアフィルターのメンテナンスの手間を低減する目的で、上部、下部に設けた軸に巻回された帯状のエアフィルターと、前記軸を駆動してエアフィルターを繰出し／巻取る為のモーターと、前記下部の軸の近傍に設けられ、前記エアフィルターを除塵する筒状のブラシからなる除塵部材とを設け、ユーザーがリモコンなどを操作するだけで、前記モーターが駆動して、エアフィルターが一方の軸に巻き取られながら、除塵部材でエアフィルターに堆積した塵埃を除去することができるようにした空気調和機用フィルター装置が考案されている（例えば、特許文献１参照）。
【特許文献１】特開２００１−９９４７９号公報
【発明の開示】
【発明が解決しようとする課題】
【０００４】
しかしながら、上記従来の空気調和機用フィルター装置の構成では、ブラシとエアフィルターがお互いに擦られる為ブラシに塵埃が絡みついたり、ブラシが磨耗もしくは変形して機能低下するなどの問題があった。また、ある程度の時間が経過したらブラシで掻き落とされ集められた塵埃を処理しなくてはならずメンテナンスの手間が大幅に軽減されるものではなかった。そこで、エアフィルターの自動清掃装置としては、エアフィルターに付着した塵埃を室外へ排出する専用の配管が必要となるとともに、塵埃を排出するために一定以上の圧力が必要となる。したがって、隠蔽配管が設置されている家屋では前述の専用配管を施設することが出来ない。また、室外へ塵埃を排出するための配管長さが一定以上長くなると、排出圧力が弱くなり塵埃を排出することができないといった課題があった。
【０００５】
本発明は、前記従来の課題を解決するもので、エアフィルターのメンテナンス、集塵された塵埃の廃棄が容易な空気調和機用フィルター装置及び空気調和機を提供することを目的とする。
【課題を解決するための手段】
【０００６】
前記従来の課題を解決するため、本発明の空気調和機用フィルター装置は、空気調和機に内蔵された熱交換器を通過する空気に含まれる塵埃を捕集するエアフィルターと、前記エアフィルターに付着した塵埃を吸引する吸引ノズルと、前記吸引ノズルに連通する吸引装置と、前記塵埃を集塵する集塵部を有する集塵装置と、前記塵埃を集塵する時は、前記集塵装置が前記吸引装置の上流側に位置するように、また、前記集塵部に集塵された前記塵埃を室外へ排出する時は、前記集塵部が前記吸引装置の下流側に位置するように流路を切り替える切り替え手段とを備えたもので、エアフィルターのメンテナンス、集塵された塵埃の廃棄がきわめて容易な空気調和機用フィルター装置を提供することができる。
【０００７】
また、本発明の空気調和機は、熱交換器と、請求項１又は２に記載の空気調和機用フィルター装置とを備え、前記空気調和機用フィルター装置のエアフィルターを前記熱交換器の上流側に配したもので、エアフィルターのメンテナンス、集塵された塵埃の廃棄がきわめて容易な空気調和機を提供することができる。
【発明の効果】
【０００８】
本発明の空気調和機用フィルター装置及び空気調和機は、エアフィルターのメンテナンス、集塵された塵埃の廃棄がきわめて容易である。
【発明を実施するための最良の形態】
【０００９】
第１の発明は、空気調和機に内蔵された熱交換器を通過する空気に含まれる塵埃を捕集するエアフィルターと、前記エアフィルターに付着した塵埃を吸引する吸引ノズルと、前記吸引ノズルに連通する吸引装置と、前記塵埃を集塵する集塵部を有する集塵装置と、前記塵埃を集塵する時は、前記集塵装置が前記吸引装置の上流側に位置するように、また、前記集塵部に集塵された前記塵埃を室外へ排出する時は、前記集塵部が前記吸引装置の下流側に位置するように流路を切り替える切り替え手段とを備えたもので、エアフィルターのメンテナンス、集塵された塵埃の廃棄がきわめて容易な空気調和機用フィルター装置を提供することができる。
【００１０】
また、第２の発明は、特に、第１の発明の切り替え手段は、集塵部に集塵された塵埃を室外に排出する時に、吸引ノズルから吸引する流路を遮断し、大気から吸引する流路に切り替えるもので、吸引側の通風抵抗をなくして、新鮮な大気で、塵埃の排出能力が高められ、より確実に集塵した塵埃を室外へ排出することが出来る。
【００１１】
第３の発明は、熱交換器と、請求項１又は２に記載の空気調和機用フィルター装置とを備え、前記空気調和機用フィルター装置のエアフィルターを前記熱交換器の上流側に配したもので、エアフィルターのメンテナンス、集塵された塵埃の廃棄がきわめて容易な空気調和機を提供することができる。
【００１２】
以下、本発明の実施の形態について、図面に基づいて詳細に説明する。尚、この実施の形態によって本発明が限定されるものではない。
【００１３】
（実施の形態１）
図１は、本発明の実施の形態１における空気調和機用フィルター装置を搭載した空気調和機の空気調和機本体の正面図、図２は、同空気調和機用フィルター装置の斜視図、図３は、同空気調和機の断面図（図１のＢ−Ｂ断面図）、図４は、同空気調和機用フィルター装置の断面図（図２のＡ−Ａ断面図）、図５は、同空気調和機用フィルター装置の要部断面図ならびに斜視図である。
【００１４】
図１〜４において、空気調和機の空気調和機本体２０は、前面に設けられ室内の空気を取り入れる前面パネル３５と、熱交換器３６と、前面パネル３５より空気を取り入れ、熱交換器３６を通過させた後、吹き出し口３７から熱交換された空気を室内に吹出す送風ファン（図示せず）と、熱交換器３６に流入する空気に含まれる塵埃を除去する空気調和機用フィルター装置３８を備えている。
【００１５】
空気調和機用フィルター装置３８は、前面パネル３５と熱交換器３６との間に位置し、熱交換器３６に流入する空気に含まれる塵埃を捕集するエアフィルター２と、エアフィルター２で捕集された塵埃を吸引する吸引ノズル３と、吸引ダクト５を介して吸引ノズル３と連通するように接続されると共に排気口７を有する吸引装置６から構成されている。なお、排気口７は、図示しないダクトを介して室外と連通している。
【００１６】
エアフィルター２は、塵埃が付着する網部２ａを有しフィルター枠１に支持固定されている。吸引ノズル３は、フィルター枠１の上端、下端のそれぞれに設置されたガイドレール４により、エアフィルター２の上流側の表面ときわめて狭い間隙を保ちながら、円滑に左右方向に移動可能に設けられている。
【００１７】
吸引ダクト５は、吸引ノズル３の左右の移動に差し支えないように折り曲げ可能なダクトで形成されている。吸引ノズル３により吸引されたエアフィルター２の塵埃は、吸引ダクト５を経由して、後述の集塵装置１３で集塵される。
【００１８】
図４において、吸引ノズル３は、吸引した風の流通路を構成するノズル８と、ノズル８を囲むように設けられたフィルム９と、フィルム９を支持すると共にステッピングモーター（図示せず）で回転駆動されるギヤ１４と、フィルム９を支持して円滑に駆動させるためのローラー１５ａ、１５ｂ、１５ｃから構成される。ノズル８のエアフィルター２側の面には、エアフィルター２の縦長さに相当する長さでスリット状のノズル開口部１０が設けてある。
【００１９】
一方、フィルム９は、ループ状に形成され、ノズル開口部１０を覆うようにノズル８の外周に巻き付けられ、エアフィルター２側の面は、ノズル開口部１０に相当する開口部１６が設けられ、フィルムガイド１７で支持されている。フィルム９にはスリット状の吸引孔１１が設けてあり、吸引孔１１の位置がノズル開口部１０に相対する位置にフィルム９は取り付けられている。フィルム９の両端には、等間隔の駆動穴（図示せず）が設けられており、その駆動穴がステッピングモーターで駆動されるギヤ１４に噛み合わされ、フィルム９が上下方向のいずれにも自在に駆動できるようになっている。
【００２０】
図５は、本実施の形態における空気調和機用フィルター装置の構成を示した要部断面図ならびに斜視図である。
【００２１】
図５において、１３は、吸引ノズル３を通して吸引された塵埃を遠心力により分離する集塵装置であり、一方が吸引ダクト５に連結されており、吸引された空気流路の下流側には、遠心分離された塵埃を集塵する集塵部３９が配されている。
【００２２】
また、吸引され分離された空気流路には、流路を切り替える切り替え手段として開閉蓋２２ａ、２２ｂを具備しており、開閉蓋２２ａはモーター２３の駆動により開閉され、開閉蓋２２ｂはモータ２８の駆動により開閉され、２２ａ、２２ｂの開閉により集塵装置１３を吸引装置６の下流側の流路に配置することが出来、吸引装置６の下流側の流路を集塵装置１３側に切り替えることができる。モーター２３、２８を動作させ開閉蓋２２ａ、２２ｂを第一の位置２２ａ（１）、２２ｂ（１）とすることによって吸引ノズル３で吸引された塵埃を集塵装置１３で遠心分離し、集塵部３９で集塵することが出来る。
【００２３】
次にモーター２３、２８を動作させ開閉蓋２２ａ、２２ｂを第二の位置２２ａ（２）、２２ｂ（２）にすることによって、開閉蓋２２ａの開口部から大気を導入し、開閉蓋２２ｂは、吸引装置６の下流側の流路を、集塵装置１３側を流路にするよう切り替え、集塵した塵埃を室外へ放出することが出来る。
【００２４】
以上のように構成された空気調和機について、以下その動作、作用を説明する。
【００２５】
空気調和機の本来の機能である冷房、暖房、除湿などの機能の停止時に、吸引装置６を駆動させることによって、吸引装置６によって吸引される空気は、フィルム９に設けた吸引孔１１に絞られて集中することになるので、少ない風量でも吸引孔１１の部分では強い
風速を発生させることが可能となる。この強い吸引力で吸引されたエアフィルター２の塵埃は、吸引孔１１からノズル開口部１０を経てノズル８内部に入り、更に吸引ダクト５を経由する。そして、吸引ノズル３を左右に駆動する毎に、フィルム９に設けた吸引孔１１の縦方向位置が変わるので、エアフィルター２の全面を吸引清掃することが可能となる。
【００２６】
そして、モーター２３、２８を駆動し、開閉蓋２２ａの開閉で吸引装置６の上流側から集塵装置１３を遮断し、開閉蓋２２ｂの開閉で吸引装置６の下流側の流路を、集塵装置１３側を流路にするよう切り替える。開閉蓋２２ａ、２２ｂの切り替えは、吸引ノズル３の左右の駆動を止めた時に行なうようにする。吸引ノズル３が左右に駆動しなければ、次の塵埃が供給されることはないので、吸引装置６を流れる空気には塵埃が殆ど含まれていないことになる。
【００２７】
以上のように、本実施の形態によれば、エアフィルター２のメンテナンス、集塵された塵埃の廃棄がきわめて容易な空気調和機用フィルター装置を提供することができる。
【産業上の利用可能性】
【００２８】
以上のように、本発明に係る空気調和機用フィルター装置及び空気調和機は、エアフィルターのメンテナンス、集塵された塵埃の廃棄がきわめて容易なもので、空気調和機に限らず、空気清浄機や換気扇などエアフィルターを有する各種機器に適用できる。
【図面の簡単な説明】
【００２９】
【図１】本発明の実施の形態１における空気調和機用フィルター装置を搭載した空気調和機本体の正面図
【図２】同空気調和機用フィルター装置の斜視図
【図３】図１のＢ−Ｂ断面図
【図４】図２のＡ−Ａ断面図
【図５】（ａ）同空気調和機用フィルター装置の要部断面図ならびに斜視図（開閉蓋が（１）の位置にあるとき）、（ｂ）同空気調和機用フィルター装置の要部断面図ならびに斜視図（開閉蓋が（２）の位置にあるとき）
【符号の説明】
【００３０】
２  エアフィルター
３  吸引ノズル
６  吸引装置
１３  集塵装置
２０  空気調和機本体
２２ａ、２２ｂ  開閉蓋（切り替え手段）
３８  空気調和機用フィルター装置
３９  集塵部
【図１】
2008241172.tif 000003
【図２】
2008241172.tif 000004
【図３】
2008241172.tif 000005
【図４】
2008241172.tif 000006
【図５】
2008241172.tif 000007